(57)【要約】      （修正有）【課題】体腔内の脂肪、または満腹中枢に刺激を与えることにより、脂肪の燃焼を促進することが可能な刺激発生装置を提供する。【解決手段】体腔内において、脂肪または満腹中枢に、脂肪の燃焼を促進するための機械的、電気的、磁気的、または化学的刺激を与える刺激発生部１７を備える刺激発生装置１。【選択図】図２
2014036742.tif 000002
【特許請求の範囲】
【請求項１】
体腔内において、脂肪または満腹中枢に、脂肪の燃焼を促進するための刺激を与える刺激発生部を備える、刺激発生装置。
【請求項２】
前記刺激発生部は、少なくとも機械的、電気的、磁気的、または化学的に刺激を発生する、請求項１に記載の刺激発生装置。
【請求項３】
前記刺激発生部は、振動、圧力、電気、磁気、または温度変化により刺激を与える、請求項１に記載の刺激発生装置。
【請求項４】
前記刺激発生装置は、
体腔内を撮像する撮像部と、
前記撮像部により撮像した撮像画像を解析することにより、体腔内の脂肪または脂肪周辺を特定する脂肪特定部と、
を備え、
前記刺激発生部は、前記脂肪特定部により特定された脂肪または脂肪周辺に、連続的または間欠的に刺激を与える、請求項１に記載の刺激発生装置。
【請求項５】
前記脂肪特定部は、前記撮像画像の色を解析することにより、褐色脂肪細胞を特定し、
前記刺激発生部は、前記褐色脂肪細胞を含む範囲に刺激を与える、請求項４に記載の刺激発生装置。
【請求項６】
前記脂肪は、内臓脂肪または血管脂肪である、請求項１に記載の刺激発生装置。
【請求項７】
前記刺激発生部は、満腹中枢に脂肪の燃焼を促進するための刺激を与えるよう胃の中で伸縮可能なバルーンであって、
前記刺激発生装置は、
体腔内の所定部位に留まるための停止部と、
前記停止部により胃の中で停止し、前記バルーンの大きさを制御するバルーン制御部と、
を備える、請求項１に記載の刺激発生装置。
【請求項８】
前記刺激発生部は、満腹中枢に脂肪の燃焼を促進するための刺激を与えるよう胃の活動を活性化させる薬剤を放出する放出部であって、
前記刺激発生装置は、
胃に到達したと判断された場合、前記薬剤を放出するよう前記放出部を制御する放出制御部を備える、請求項１に記載の刺激発生装置。
【請求項９】
前記薬剤は、塩化カルプロニウムである、請求項８に記載の刺激発生装置。
【請求項１０】
前記刺激発生装置は、
皮膚切開部分から体内に挿入される挿入部を有し、
前記刺激発生部は、前記挿入部の先端に設けられる、請求項１に記載の刺激発生装置。
【請求項１１】
前記刺激発生装置は、体腔内に導入されるカプセル型である、請求項１に記載の刺激発生装置。
【請求項１２】
前記刺激発生装置は、所定部位に到達したか否かを判断する判断部を備える、請求項１１に記載の刺激発生装置。
【請求項１３】
前記刺激発生装置は、体腔内を撮像する撮像部を備え、
前記判断部は、前記撮像部により撮像された撮像画像に基づき、前記所定部位に到達したか否かを判断する、請求項１２に記載の刺激発生装置。
【請求項１４】
前記刺激発生装置は、外部装置と通信する通信部を備え、
前記通信部は、前記外部装置に位置検出用信号を送信し、また、前記外部装置から制御信号を受信し、
前記判断部は、前記通信部により受信した制御信号に基づき、前記所定部位に到達したか否かを判断する、請求項１２に記載の刺激発生装置。
【発明の詳細な説明】
【技術分野】
【０００１】
本開示は、刺激発生装置に関する。
【背景技術】
【０００２】
昨今、被検体の体内に投入されるカプセル型医療装置が知られている。このようなカプセル型医療装置としては、体内の各部を無作為的に撮影するもの、体内からサンプル等を採取するもの、また、下記特許文献１、２に開示されているような体腔内に留まって所定部位を経過観察するもの等が知られている。
【先行技術文献】
【特許文献】
【０００３】
【特許文献１】特開２００７−１４６３４号公報
【特許文献２】特開２００５−２０４８０６号公報
【発明の概要】
【発明が解決しようとする課題】
【０００４】
しかしながら、体腔内において、脂肪燃焼を促進するための刺激を発生するものについては、何ら提案されていなかった。
【０００５】
そこで、本開示では、脂肪燃焼を促進することが可能な刺激発生装置を提案する。
【課題を解決するための手段】
【０００６】
本開示によれば、体腔内において、脂肪または満腹中枢に、脂肪の燃焼を促進するための刺激を与える刺激発生部を備える刺激発生装置を提案する。
【発明の効果】
【０００７】
以上説明したように本開示によれば、脂肪燃焼を促進することが可能となる。
【図面の簡単な説明】
【０００８】
【図１】本開示の第１の実施形態による脂肪燃焼システムの概要について説明するための図である。
【図２】第１の実施形態によるカプセルの構成を示すブロック図である。
【図３】第１の実施形態によるカプセルの動作処理を示すフローチャートである。
【図４】褐色脂肪細胞が集まる部位を説明するための図である。
【図５】第１の変形例による内視鏡型医療装置を説明するための図である。
【図６】第２の変形例による脂肪燃焼システムに含まれるカプセル型医療装置および制御装置の構成を示すブロック図である。
【図７】本実施形態による刺激設定画面の一例を示す図である。
【図８】第２の変形例による脂肪燃焼システムの動作処理を示すフローチャートである。
【図９】第２の実施形態による脂肪燃焼システムの概要を説明するための図である。
【図１０】第２の実施形態によるカプセル型医療装置の構成を示すブロック図である。
【発明を実施するための形態】
【０００９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１０】
また、説明は以下の順序で行うものとする。
１．第１の実施形態
１−１．概要
１−２．カプセルの構成
１−３．動作処理
１−４．変形例
２．第２の実施形態
２−１．カプセルの構成
２−２．動作処理
３．まとめ
【００１１】
＜１．第１の実施形態＞
[１−１．概要]
まず、本開示の第１の実施形態による脂肪燃焼システムの概要について図１を参照して説明する。図１に示すように、本実施形態による脂肪燃焼システムでは、被検体の体腔内に導入されたカプセル型医療装置１（刺激発生装置）が、体腔内で所定の脂肪を含む範囲に対して刺激を与えることにより脂肪燃焼を促進することができる。また、本実施形態によるカプセル型医療装置１（以下、カプセル１とも称す）は、血管中や消化器官内に導入され得る。
【００１２】
（背景）
ここで、人間の体には６０兆個の細胞があり、そのうちの一種が脂肪細胞であって、脂肪の合成、分解、蓄積が行われている。また、脂肪細胞には「白色脂肪細胞」と「褐色脂肪細胞」の２種類があることが知られている。「白色脂肪細胞」は、中性脂肪として大量の脂肪エネルギーを体内に蓄積する性質を有し、脂肪太りの原因となる。一方、「褐色脂肪細胞」は、白色脂肪細胞と異なり、体内に蓄積された余計な中性脂肪を燃焼させてエネルギーとして放出させる性質を有する。
【００１３】
よって、褐色脂肪細胞が働けば働くほど、体脂肪が消費される。続いて、一般的に褐色脂肪細胞が働くまでの過程を簡単に説明する。
【００１４】
まず、余分なエネルギーが中性脂肪となって白色脂肪細胞に蓄積されると、脂肪組織からレプチンというホルモンが分泌される。レプチンは、脳の視床下部に存在するレプチン受容体（レセプター）を介して脳に作用し、摂食中枢を抑制し、満腹中枢を刺激する。これにより、人間は満腹感を感じて摂食を控える。また、レプチンの信号を受け取った脳は、余分なエネルギーを消費するよう交感神経に伝達する。これを受けて、褐色脂肪細胞の働きも活性化し、中性脂肪が燃焼され、エネルギーとして放出される。
【００１５】
このような褐色脂肪細胞の働きには大きな個人差があり、褐色脂肪細胞の働きが活発な人は、少し余分に摂食しても脂肪がエネルギーに変換され太りにくい体質となるが、褐色脂肪細胞の働きが悪い人は、余分なエネルギーが体脂肪として体に残ってしまい、体が冷えやすく太りやすい体質になってしまう。
【００１６】
しかし、褐色脂肪細胞の働きの強さに個人差があっても、褐色脂肪細胞を冷やして刺激を与えることで、活性化させることが可能である。褐色脂肪細胞を冷やす方法としては、一般的に「水泳を行う」、「冷水のシャワーを浴びる」、といった方法が提案されているが、プールに出掛けたり、入浴を行う必要があり、いずれもすぐに手軽に実行することはできない。
【００１７】
また、脳に「寒い」と感じさせる事ができればよいので、例えば人体において温度センサの役割をしている「小体」という組織が密集している手のひら等に、氷や保冷材などを用いて刺激を与えることでも褐色脂肪細胞の活性化を促すことができる。しかし、氷や保冷材等の用意には手間がかかり、面倒であった。また、皮膚の外からの刺激では十分ではないことも考えられる。
【００１８】
そこで、上記事情を一着眼点にして、第１の実施形態による脂肪燃焼システムを創作するに至った。第１の実施形態による脂肪燃焼システムは、体腔内において、褐色脂肪細胞を含む範囲に対して刺激を与えることで、褐色脂肪細胞を活性化させ、脂肪燃焼を促進する。
【００１９】
以上、本実施形態の概要を説明した。続いて、本実施形態によるカプセル１の構成および動作処理について順次説明する。
【００２０】
[１−２．カプセルの構成]
図２は、第１の実施形態によるカプセル１の構成を示すブロック図である。図２に示すように、カプセル１は、撮像部１１、脂肪特定部１３、制御部１５、および刺激発生部１７を有する。
【００２１】
（撮像部）
撮像部１１は、白色ＬＥＤ（Ｌｉｇｈｔ  Ｅｍｉｔｔｉｎｇ  Ｄｉｏｄｅ）等の照明部、撮像レンズを含む撮像光学系、および撮像素子（ＣＭＯＳイメージャ、ＣＣＤ等）により実現される。これにより、カプセル１は、体腔内を移動しながら白色ＬＥＤ等で体腔内を照射し、体腔内を撮像することができる。
【００２２】
（制御部）
制御部１５は、カプセル１の各構成を制御する。具体的には、制御部１５は、撮像部１１により撮像された体腔内の撮像画像に基づいて、所定部位に到達したか否かを判断する判断部として機能してもよい。例えば、制御部１５（判断部）は、予め刺激位置として登録された所定部位に到達したか否かを判断する。制御部１５は、所定部位に到達したと判断した場合、撮像画像に基づいて、所定の脂肪（の位置）を特定するよう、脂肪特定部１３を制御する。
【００２３】
また、制御部１５は、脂肪特定部１３により所定の脂肪または所定の脂肪周辺が特定されると、特定された脂肪または脂肪周辺に対して刺激を与えるよう、刺激発生部１７を制御する。
【００２４】
（脂肪特定部）
脂肪特定部１３は、撮像画像を解析し、所定の脂肪または所定の脂肪周辺を特定する。例えば、脂肪特定部１３は、撮像画像の色を解析することにより、褐色脂肪細胞を特定する。また、脂肪特定部１３は、褐色脂肪細胞の他、中性脂肪や血管脂肪を特定してもよい。
【００２５】
（刺激発生部）
刺激発生部１７は、体腔内の所定の脂肪を含む範囲に対して刺激を与える。ここで、刺激発生部１７は、少なくとも機械的、電気的、磁気的、または化学的に刺激を発生することができる。また、刺激発生部１７が与える刺激は、振動刺激、圧力刺激、電気刺激、磁気刺激、温熱刺激、または冷却刺激であってもよい。例えば振動刺激は、刺激発生部１７を、コアレスモータおよび偏心おもりから成る振動モータにより実現することで与えることができる。また、電気刺激は、刺激発生部１７を、複数の電極により実現し、複数の電極から所定の脂肪に対して電流を流すことで与えることができる。また、圧力刺激は、刺激発生部１７を、パンタグラフ構造を押し広げるよう駆動するソレノイドや、ジャッキを押し広げるよう駆動するＤＣモータ等のアクチュエータにより実現し、カプセル１を機械的に変形させることで与えることができる。
【００２６】
また、温熱刺激および冷却刺激は、刺激発生部１７を、冷温部により実現し、所定の脂肪の温度を変化させるよう発熱（加熱）または冷却（加冷）することで与えることができる。より具体的には、発熱制御は、電熱コイル（ニクロム線等）、ペルチェ素子、または発熱反応（金属や有機物の酸化、生石灰の加水等）を用いて実現してもよい。また、冷却制御は、例えばペルチェ素子や吸熱反応（硝酸アンモニウムの水への溶解等）を用いて実現してもよい。
【００２７】
[１−３．動作処理]
以上、本実施形態によるカプセル１の構成について詳細に説明した。続いて、本実施形態によるカプセル１の動作処理について図３を参照して説明する。
【００２８】
図３は、第１の実施形態によるカプセル１の動作処理を示すフローチャートである。図３に示すように、まず、ステップＳ１０３において、体腔内を移動するカプセル１の撮像部１１は、体腔内を撮像する。
【００２９】
次いで、ステップＳ１０６において、制御部１５は、撮像部１１により撮像された体腔内の撮像画像に基づいて、所定部位に到達したか否かを判断する。
【００３０】
次に、所定部位に到達したと判断された場合、ステップＳ１０９において、脂肪特定部１３は、撮像画像を解析し、所定の脂肪を特定する。例えば、脂肪特定部１３は、撮像画像の色を解析し、褐色脂肪細胞を特定する。
【００３１】
次いで、ステップＳ１１２において、制御部１５は、脂肪特定部１３により特定された脂肪を含む範囲に対して刺激を与えるよう、刺激発生部１７を制御する。例えば、制御部１５は、褐色脂肪細胞を含む範囲を冷却するよう刺激発生部１７を制御する。これにより、褐色脂肪細胞が活性化し、脂肪燃焼が促進される。
【００３２】
以上、本開示の第１の実施形態によるカプセル１の動作処理について詳細に説明した。次に、本実施形態の変形例について説明する。
【００３３】
[１−４．変形例]
（１−４−１．第１の変形例）
上述した実施形態では、刺激発生装置の一例として、被検体の体腔内に導入されるカプセル型医療装置を用いたが、本実施形態による刺激発生装置の形態はカプセル型に限定されない。
【００３４】
ここで、褐色脂肪細胞は、一般的に図４に示すような部位２０Ａ〜２０Ｄに集まる。具体的には、首の周辺（部位２０Ａ）、肩甲骨の周囲（部位２０Ｂ）、腋の下（部位２０Ｃ）、および腎臓の周囲（部位２０Ｄ）である。したがって、このような褐色脂肪細胞の密集部位を体腔内で冷却することで、脂肪燃焼をより促進することができる。
【００３５】
そこで、本実施形態による刺激発生装置を内視鏡型にすることで、上述したような部位に集まる褐色脂肪細胞を体内で冷却することができる。以下、図５を参照して具体的に説明する。
【００３６】
図５は、第１の変形例による内視鏡型医療装置４を説明するための図である。図５に示すように、内視鏡型医療装置４（以下、内視鏡４とも称す）は、本体部４１、ケーブル４２、把持部４３、および挿入部４５を有する。
【００３７】
本体部４１は、図２に示す脂肪特定部１３および制御部１５の機能を有する。また、本体部４１にはケーブル４２が接続され、ケーブル４２は把持部４３に接続される。
【００３８】
把持部４３には、被検体２の皮膚切開口から体内に挿入される挿入部４５が設けられている。本実施形態による挿入部４５の先端には、図２に示す撮像部１１および刺激発生部１７の機能が設けられている。
【００３９】
これにより、本変形例による内視鏡４は、例えば図４を参照して説明したような褐色脂肪細胞が集まる部位に対して皮膚切開口から挿入部４５を挿入し、褐色脂肪細胞を特定した上で、体腔内において冷却刺激を与え、褐色脂肪細胞をより活性化させることができる。
【００４０】
（１−４−２．第２の変形例）
また、上述した実施形態による脂肪燃焼システムは、カプセル１が独立して被検体の体内で所定の脂肪に対して刺激を与える処理を行っているが、本実施形態による刺激発生装置は、このような独立型には限定されない。例えば、本実施形態による脂肪燃焼システムは、カプセル型医療装置および制御装置を有し、当該カプセル型医療装置が、制御装置から送信された制御信号に従って動作する従属型であってもよい。以下、図６および図７を参照して具体的に説明する。
【００４１】
（構成）
図６は、第２の変形例による脂肪燃焼システムに含まれるカプセル型医療装置１’および制御装置３の構成を示すブロック図である。
【００４２】
・カプセル型医療装置
カプセル型医療装置１’（以下、カプセル１’とも称す）は、図６に示すように、撮像部１１、通信部１８、制御部１６、および刺激発生部１７を有する。撮像部１１および刺激発生部１７については、図２を参照して上述したので、ここでの説明は省略する。
【００４３】
通信部１８は、外部装置とデータの送受信を行う通信モジュールである。具体的には、本実施形態による通信部１８は、位置検出用信号や撮像部１１により撮像された体腔内の撮像画像を制御装置３に送信したり、制御装置３から制御信号を受信したりする。
【００４４】
制御部１６は、通信部１８により制御装置３から受信した制御信号に応じて、カプセル１の各構成を制御する。例えば、制御部１６は、所定の脂肪を含む範囲に対して刺激を与えるよう指示する制御信号（刺激発生指示）を受信した場合、刺激発生部１７を制御して刺激を発生させる。
【００４５】
・制御装置
制御装置３は、図６に示すように、制御部３０、通信部３１、操作部３３、表示部３４、および登録情報ＤＢ（データベース）３５を有する。
【００４６】
通信部３１は、外部装置と接続し、データの送受信を行う機能を有する。例えば、本実施形態による通信部３１は、カプセル１’から位置検出用信号を受信したり、カプセル１’に制御信号を送信したりする。
【００４７】
操作部３３は、医療スタッフや被検体２等のユーザによる操作を受け付け、操作入力に応じた入力信号を制御部３０に出力する機能を有する。また、操作部３３は、マウス、キーボード、およびタッチパネルなどにより実現されてもよい。
【００４８】
表示部３４は、制御部３０の制御に従って、画像やテキストを含む画面表示を行う機能を有する。具体的には、本実施形態による表示部３４は、カプセル１’の制御に関する操作画面や、カプセル１’により与える刺激に関する各種設定を行う刺激設定画面を表示してもよい。なお、表示部３４は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）またはＣＲＴ（Ｃａｔｈｏｄｅ  Ｒａｙ  Ｔｕｂｅ）などにより実現されてもよい。
【００４９】
ここで、本実施形態による表示部３４が表示する刺激設定画面の一例について、図７を参照して説明する。図７は、本実施形態による刺激設定画面の一例を示す図である。
【００５０】
図７に示すように、刺激設定画面５０は、各体内部位を示す部位画面５１、刺激位置指定用アイコン５３、および刺激内容の各種設定を行う設定ボタン５５〜５７を含む。
【００５１】
部位画面５１では、カプセル１が導入される消化器官の各部位のイラストと名称が対応付けられている。ユーザは、操作部３３を操作してアイコン５３を選択し、図７に示すように、ドラッグ＆ドロップ操作により所望する特定部位（例えば褐色脂肪細胞や中性脂肪が集まっていると予想される部位）に移動させ、刺激位置を登録する。
【００５２】
次に、ユーザは、設定ボタン５５〜５７を選択し、刺激内容の各種設定を行う。具体的には、例えば刺激の種類を設定する場合、設定ボタン５５を選択する。設定ボタン５５では、刺激の種類として、例えば機械的刺激、電気的刺激、磁気的刺激、化学的刺激、または温熱／冷却刺激等を登録することができる。
【００５３】
また、刺激の時間幅を設定する場合、ユーザは設定ボタン５６を選択する。設定ボタン５６では、刺激の時間幅として、任意の秒数や分数を登録することができる。
【００５４】
また、刺激のタイミングを設定する場合、ユーザは設定ボタン５７を選択する。設定ボタン５７は、刺激のタイミングとして、連続的に刺激を発生させるのか、間欠的に刺激を発生するのかを登録することができる。
【００５５】
以上、図７を参照し、カプセル１が消化器官に導入される場合の各種刺激設定を行うための画面について説明したが、本実施形態による刺激設定画面はこれに限定されず、例えばカプセル１が血管に導入された場合の各種刺激設定を行うための画面であってもよい。
【００５６】
また、上記刺激設定画面５０により登録された刺激発生に関する各種情報は、登録情報ＤＢ３５に保持される。
【００５７】
制御部３０は、制御装置３の各構成を制御する機能を有する。具体的には、本実施形態による制御部３０は、図６に示すように、位置検出部３０１、判断部３０３、および脂肪特定部３０５として機能する。
【００５８】
位置検出部３０１は、通信部３１がカプセル１’から受信した位置検出用信号に基づいて、カプセル１’の位置を検出（算出）する。そして、位置検出部３０１は、検出したカプセル１’の位置情報を判断部３０３に出力する。なお、位置検出部３０１は、被検体が着用するシールドシャツに設けられたアンテナ（不図示）が、体内のカプセル１’から位置検出用信号を受信した際の電波強度に基づいてカプセル１’の位置を検出してもよい。
【００５９】
また、位置検出部３０１は、位置検出用信号の他、カプセル１’から受信した撮像画像を解析してカプセル１’の位置を検出してもよいし、カプセル１’が有する各種センサ（不図示）により検出された値（ｐＨ値等）に基づいてカプセル１’の位置を検出してもよい。
【００６０】
判断部３０３は、位置検出部３０１により検出されたカプセル１’の位置が、医療スタッフまたは被検体等により予め登録された所定部位（刺激位置）付近であるか否かを判断する。なお、判断部３０３は、所定部位に関する情報を登録情報ＤＢ３５から抽出する。
【００６１】
脂肪特定部３０５は、図２を参照して説明した脂肪特定部１３と同様の機能を有するので、ここでの説明は省略する。
【００６２】
以上、本変形例によるカプセル１’および制御装置３の各構成について詳細に説明した。続いて、本変形例による脂肪燃焼システムの動作処理について図８を参照して説明する。
【００６３】
（動作処理）
図８は、第２の変形例による脂肪燃焼システムの動作処理を示すフローチャートである。図８に示すように、まず、ステップＳ２０３において、制御装置３は、ユーザ操作に応じて刺激位置（所定部位）を登録する。なお制御装置３は、刺激位置の他、刺激に関する各種設定もユーザ操作に応じて登録する。
【００６４】
次に、ステップＳ２０６において、電源投入されて被検体の体腔内に導入されたカプセル１’は、体腔内を移動しながら位置検出用信号を制御装置３に送信する。
【００６５】
次いで、ステップＳ２０９において、制御装置３の位置検出部３０１は、カプセル１’から送信された位置検出用信号に基づいてカプセル１’の位置を検出する。なお、上述したように、位置検出部３０１は、カプセル１’から送信された体腔内の撮像画像を解析してカプセル１’の位置を検出してもよい。
【００６６】
続いて、ステップＳ２１２において、制御装置３の判断部３０３は、位置検出部３０１により検出されたカプセル１’の位置が、上記ステップＳ２０３で登録された刺激位置であるか否かを判断する。例えば判断部３０３は、カプセル１’が、予め登録された刺激位置付近（所定の範囲内）に位置する場合、カプセル１’が刺激位置に到達したと判断してもよい。
【００６７】
次に、判断部３０３によりカプセル１’の位置が刺激位置に到達したと判断された場合、ステップＳ２１５において、制御装置３は、通信部３１を制御し、撮像を指示する制御信号をカプセル１’に送信する。
【００６８】
次に、ステップＳ２１８において、カプセル１’の制御部１６は、通信部１８を介して受信した制御信号に従って、撮像部１１により体腔内を撮像する。
【００６９】
次いで、ステップＳ２２１において、カプセル１’の通信部１８は、撮像部１１により撮像された体腔内の撮像画像を制御装置３に送信する。
【００７０】
次に、ステップＳ２２４において、制御装置３の脂肪特定部３０５は、通信部３１によりカプセル１’から受信した体腔内の撮像画像を解析し、所定の脂肪を特定する。ここで、所定の脂肪とは、刺激設定画面５０において予めユーザに選択された脂肪（例えば褐色脂肪細胞）であってもよい。
【００７１】
次いで、ステップＳ２２７において、制御装置３は、脂肪特定部３０５により特定された脂肪を含む範囲に対して刺激を与えるよう、刺激発生を指示する制御信号を通信部３１からカプセル１’に送信する。ここで、制御装置３が送信する刺激発生を指示する制御信号には、ユーザが予め登録した刺激に関する各種設定の情報も含まれる。
【００７２】
次いで、ステップＳ２３０において、カプセル１’の制御部１６は、通信部１８を介して受信した制御信号に従って、刺激発生部１７を制御し、特定された刺激を含む範囲に対して刺激を与える。また、制御部１６は、制御信号に含まれる刺激に関する各種設定に従って、刺激の種類、刺激の時間幅、およびタイミングを制御する。
【００７３】
以上説明したように、第２の変形例による脂肪燃焼システムによれば、制御装置３から送信される制御信号に従ってカプセル１’が動作し、所定の脂肪を含む範囲に対して刺激を与えることができる。
【００７４】
なお、図６に示す例では、カプセル１’と制御装置３が無線通信により接続する場合について説明したが、本実施形態による通信は無線に限定されず、有線であってもよい。この場合、例えばカプセル１’は、制御装置３と接続する通信線が取り付けられた状態で被検体の体腔内に導入され、制御装置３は、当該通信線を介してカプセル１’とデータ通信を行う。また、カプセル１’と制御装置３が無線通信により接続する場合、制御装置３は、被検体が着用するシールドシャツに設けられたアンテナ（不図示）と、被検体に装着され、当該アンテナと接続する通信装置を介してカプセル１’とデータ通信を行ってもよい。
【００７５】
＜２．第２の実施形態＞
上述した第１の実施形態による脂肪燃焼システムでは、特に中性脂肪を燃焼させてエネルギーに変換させる働きを有する褐色脂肪細胞に対して刺激を与える（例えば冷却する）ことで活性化させ、脂肪燃焼を促進している。しかし、本開示による脂肪燃焼システムの実施形態はこれに限定されず、例えば満腹中枢を刺激することで、脂肪燃焼を促進させてもよい。
【００７６】
（背景）
上述したように、余分なエネルギーが中性脂肪となって白色脂肪細胞に蓄積された場合に脂肪組織から分泌されるレプチンを脳のレプチン受容体で受け取ることで、摂食中枢が抑制され、満腹中枢が刺激される。これにより、脳は、余分なエネルギーを消費するよう交感神経に伝達し、褐色脂肪細胞の働きも活性化する。しかしながら、脂肪が増えすぎてレプチンが大量に分泌されると、レプチン受容体が反応しにくくなるレプチン抵抗性の問題が生じる。レプチン抵抗性が生じると、余分なエネルギーが白色脂肪細胞に蓄積されても、脳がレプチンを受け取ることができず、摂食中枢の抑制や満腹中枢への刺激がなされない。これにより、たくさん食べても満腹感が得られず、また、脂肪燃焼も促進されない状態となる。
【００７７】
このような問題に対して、一般的には、食事量を減らしてレプチンの分泌量を抑え、レプチン受容体に負担をかけないようにするで、レプチン受容体の回復を待つことが推奨される。ところが、この場合、レプチンの分泌量が抑えられるので、摂食中枢の抑制や満腹中枢への刺激がほぼ無くなり、満腹感を感じられないので、レプチン受容体の回復を待つことは容易ではなかった。
【００７８】
そこで、本開示による第２の実施形態では、レプチン受容体の回復を待っている間であっても、その他の方法で満腹中枢に刺激を与えることで、満腹感を感じさせることを提案する。満腹中枢に刺激を与えることができれば、脳は余分なエネルギーを消費するよう交感神経に伝達するので、結果的に脂肪燃焼が促進される。例えば、レプチン抵抗性が生じているときでも、例えば食事の際によく噛むことで、脳内にセロトニンやヒスタミンが分泌され、満腹中枢が刺激される。また、胃を刺激して満腹中枢に刺激を与えることも考えられる。以下、本実施形態による脂肪燃焼システムについて図９および図１０を参照して具体的に説明する。
【００７９】
[２−１．概要]
図９は、第２の実施形態による脂肪燃焼システムの概要を説明するための図である。図９に示すように、本実施形態によるカプセル型医療装置１００（刺激発生装置）は、例えば胃の中で刺激を発生することで、脳の摂食中枢を抑制し、満腹中枢を刺激する。これにより脳は満腹感を感じ、余分なエネルギーを消費するよう交感神経に伝達し、脂肪燃焼が促進される。
【００８０】
[２−２．カプセルの構成]
図１０は、第２の実施形態によるカプセル型医療装置１００の構成を示すブロック図である。図１０に示すように、カプセル型医療装置１００（以下、カプセル１００とも称す）は、撮像部１１１、判断部１１８、制御部１１５、刺激発生部１１７、および停止部１１９を有する。
【００８１】
（撮像部）
撮像部１１１は、白色ＬＥＤ（Ｌｉｇｈｔ  Ｅｍｉｔｔｉｎｇ  Ｄｉｏｄｅ）等の照明部、撮像レンズを含む撮像光学系、および撮像素子（ＣＭＯＳイメージャ、ＣＣＤ等）により実現される。これにより、カプセル１は、体腔内を移動しながら白色ＬＥＤ等で体腔内を照射し、体腔内を撮像することができる。
【００８２】
（判断部）
判断部１１８は、撮像部１１１により撮像された体腔内の撮像画像に基づいて、所定部位に到達したか否かを判断する。例えば、判断部１１８は、体腔内の撮像画像に基づいて、胃に到達したか否かを判断する。判断部１１８は、判断結果を制御部１１５に出力する。
【００８３】
なお、判断部１１８は、カプセル１００が有する各種センサ（不図示）により検出された値（ｐＨ値等）に基づいて胃に到達したか否かを判断してもよい。
【００８４】
（制御部）
制御部１１５は、カプセル１００の各構成を制御する。具体的には、制御部１１５は、判断部１１８から出力された判断結果に基づいて、判断部１１８により胃に到達したと判断された場合、胃に停止するよう停止部１１９を制御する。
【００８５】
また、制御部１１５は、停止部１１９により胃に留まるよう制御した上で、刺激発生部１１７を制御し、満腹中枢に脂肪の燃焼を促進するための刺激を与えるよう胃を刺激する。
【００８６】
（停止部）
停止部１１９は、カプセル１００が体腔内に留まらせる機能を有する。停止部１１９による停止手段の実現方法は様々あり、例えば上記特許文献２に記載されているようなアームタイプであってもよい。アームタイプとは、カプセル１００が、複数のアームにより体腔内壁の粘膜を挟持することで体腔内に留まる停止手段である。
【００８７】
（刺激発生部）
刺激発生部１１７は、制御部１１５の制御に応じて、胃に刺激を与える。ここで、通常、人間が食事の際に満腹感を感じるのは、胃壁の拡張の刺激が脳に伝達されるからであると考えられている。食物が胃に充満して胃壁が拡張すると、胃に分布している迷走神経（副交感神経）が刺激され、それが脳に伝達され、満腹中枢が刺激される。
【００８８】
よって、本実施形態による刺激発生部１１７は、胃壁を拡張させる刺激を発生し、満腹中枢に刺激を与える。具体的には、例えばカプセル１００の一部の外周面を覆うよう、伸縮自在で気密機能を持つバルーンを設け、カプセル１００内部に収納する加圧気体により膨張させることで、胃壁を拡張させてもよい。これにより、胃に分布している迷走神経（副交感神経）が刺激され、それが脳に伝達され、満腹中枢が刺激される。
【００８９】
以上、第２の実施形態による脂肪燃焼システムについて説明した。なお、刺激発生部１１７が発生させる刺激は、上述した胃壁を拡張させる刺激に限定されず、例えば胃の活動を活性化させる（胃の運動機能を促進させる）刺激を与えてもよい。胃の活動が活性化することで、脳の満腹中枢に刺激を与えることが可能である。
【００９０】
具体的には、刺激発生部１１７を、カプセル１００に収納された胃の活動を活性化させる薬剤をカプセル１００に設けられた放出口から放出させる放出部により実現する。なお、胃の活動を活性化させる薬剤は、例えば副交感神経刺激薬（塩化カルプロニウム）であってもよい。副交感神経刺激薬（塩化カルプロニウム）は、胃の血流をアップさせて胃の活動を活性化（胃の運動機能を促進）させる。
【００９１】
＜３．まとめ＞
上述したように、本開示の実施形態による脂肪燃焼システムは、体腔内の脂肪、または満腹中枢に刺激を与えることにより、脂肪燃焼を促進させることができる。
【００９２】
より具体的には、第１の実施形態による脂肪燃焼システムでは、体腔内の所定の脂肪を含む範囲に対して刺激を与えることで、脂肪燃焼を促進させることがきる。例えば、第１の実施形態によるカプセル１は、脂肪を燃焼させる性質を有する褐色脂肪細胞を含む範囲を冷却することで、褐色脂肪細胞を活性化させ、脂肪燃焼を促進させることができる。
【００９３】
また、第２の実施形態による脂肪燃焼システムでは、満腹中枢に対して刺激を与えることで、満腹感を感じさせることができる。これにより、脳が余分なエネルギーを消費するよう交感神経に伝達するので、脂肪燃焼を促進させることができる。
【００９４】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９５】
なお、本技術は以下のような構成も取ることができる。
（１）
体腔内において、脂肪または満腹中枢に、脂肪の燃焼を促進するための刺激を与える刺激発生部を備える、刺激発生装置。
（２）
前記刺激発生部は、少なくとも機械的、電気的、磁気的、または化学的に刺激を発生する、前記（１）に記載の刺激発生装置。
（３）
前記刺激発生部は、振動、圧力、電気、磁気、または温度変化により刺激を与える、前記（１）または（２）に記載の刺激発生装置。
（４）
前記刺激発生装置は、
体腔内を撮像する撮像部と、
前記撮像部により撮像した撮像画像を解析することにより、体腔内の脂肪または脂肪周辺を特定する脂肪特定部と、
を備え、
前記刺激発生部は、前記脂肪特定部により特定された脂肪または脂肪周辺に、連続的または間欠的に刺激を与える、前記（１）〜（３）のいずれか１項に記載の刺激発生装置。
（５）
前記脂肪特定部は、前記撮像画像の色を解析することにより、褐色脂肪細胞を特定し、
前記刺激発生部は、前記褐色脂肪細胞を含む範囲に刺激を与える、前記（４）に記載の刺激発生装置。
（６）
前記脂肪は、内臓脂肪または血管脂肪である、前記（１）〜（４）のいずれか１項に記載の刺激発生装置。
（７）
前記刺激発生部は、満腹中枢に脂肪の燃焼を促進するための刺激を与えるよう胃の中で伸縮可能なバルーンであって、
前記刺激発生装置は、
体腔内の所定部位に留まるための停止部と、
前記停止部により胃の中で停止し、前記バルーンの大きさを制御するバルーン制御部と、
を備える、前記（１）〜（３）のいずれか１項に記載の刺激発生装置。
（８）
前記刺激発生部は、満腹中枢に脂肪の燃焼を促進するための刺激を与えるよう胃の活動を活性化させる薬剤を放出する放出部であって、
前記刺激発生装置は、
胃に到達したと判断された場合、前記薬剤を放出するよう前記放出部を制御する放出制御部を備える、前記（１）〜（３）のいずれか１項に記載の刺激発生装置。
（９）
前記薬剤は、塩化カルプロニウムである、前記（８）に記載の刺激発生装置。
（１０）
前記刺激発生装置は、
皮膚切開部分から体内に挿入される挿入部を有し、
前記刺激発生部は、前記挿入部の先端に設けられる、前記（１）〜（６）のいずれか１項に記載の刺激発生装置。
（１１）
前記刺激発生装置は、体腔内に導入されるカプセル型である、前記（１）〜（９）のいずれか１項に記載の刺激発生装置。
（１２）
前記刺激発生装置は、所定部位に到達したか否かを判断する判断部を備える、前記（１１）に記載の刺激発生装置。
（１３）
前記刺激発生装置は、体腔内を撮像する撮像部を備え、
前記判断部は、前記撮像部により撮像された撮像画像に基づき、前記所定部位に到達したか否かを判断する、前記（１２）に記載の刺激発生装置。
（１４）
前記刺激発生装置は、外部装置と通信する通信部を備え、
前記通信部は、前記外部装置に位置検出用信号を送信し、また、前記外部装置から制御信号を受信し、
前記判断部は、前記通信部により受信した制御信号に基づき、前記所定部位に到達したか否かを判断する、前記（１２）に記載の刺激発生装置。
【符号の説明】
【００９６】
１、１’、１００    カプセル型医療装置
２    被検体
３    制御装置
４    内視鏡型医療装置
１１    撮像部
１３    脂肪特定部
１５、１６    制御部
１７    刺激発生部
１８    通信部
２０Ａ〜２０Ｄ    部位
３０    制御部
３１    通信部
３３    操作部
３４    表示部
３５    登録情報ＤＢ（データベース）
４１    本体部
４２  ケーブル
４３    把持部
４５    挿入部
５０    刺激設定画面
５１    部位画面
５３    刺激位置指定用アイコン
５５〜５７    設定ボタン
１１１    撮像部
１１５    制御部
１１７    刺激発生部
１１８    判断部
１１９    停止部
３０１    位置検出部
３０３    判断部
３０５    脂肪特定部
【図１】
2014036742.tif 000003
【図２】
2014036742.tif 000004
【図３】
2014036742.tif 000005
【図４】
2014036742.tif 000006
【図５】
2014036742.tif 000007
【図６】
2014036742.tif 000008
【図７】
2014036742.tif 000009
【図８】
2014036742.tif 000010
【図９】
2014036742.tif 000011
【図１０】
2014036742.tif 000012